(57)【特許請求の範囲】
【請求項１】
光軸に沿って物体側より順に、正の屈折力の第１レンズ群、負の屈折力の第２レンズ群、負の屈折力の第３レンズ群、正の屈折力の第４レンズ群、正の屈折力の第５レンズ群を配し、第３レンズ群と第４レンズ群との間に開口絞りを配してなり、
広角端から望遠端への変倍に際し、第１レンズ群と第２レンズ群の間隔が増大し、第２レンズ群と第３レンズ群との間隔が増大し、第３レンズ群と第４レンズ群との間隔が減少し、第４レンズ群と第５レンズ群の間隔が減少し、
第３レンズ群が１枚の負レンズで構成され、該負レンズは、物体側に凹面を向けた負メニスカスレンズであり、
第３レンズ群の光軸方向への移動によりフォーカシングを行い、
第３レンズ群の物体側面の曲率半径：Ｒ３１、第３レンズ群の像側面の曲率半径：Ｒ３２：第３レンズ群の焦点距離：Ｆ３、望遠端での第２、３レンズ群の合成焦点距離：Ｆ２３ｗ、望遠端での第２、３レンズ群の合成焦点距離：Ｆ２３ｔ、広角端での焦点距離：Ｆｗ、望遠端での焦点距離：Ｆｔ、√（Ｆｗ×Ｆｔ）：Ｆｍが、条件：
（１）  １．０  ＜（Ｒ３１−Ｒ３２）／｜Ｆ２３ｗ｜＜  １０．０  
（２）  １．０  ＜（Ｒ３１−Ｒ３２）／｜Ｆ２３ｔ｜＜  １０．０  
（３）  １．４  ＜｜Ｆ３｜／Ｆｍ＜  ２．５  
（６）  ２．８＜Ｆｔ／Ｆｗ
を満足することを特徴とするズームレンズ。
【請求項２】
請求項１記載のズームレンズにおいて、
最大像高：Ｙ’、広角端での焦点距離：Ｆｗが、条件：
（５）０．７５＜Ｙ’／Ｆｗ
を満足することを特徴とするズームレンズ。
【請求項３】
請求項１または２記載のズームレンズにおいて、
第３レンズ群を構成する１枚の負レンズの材料のアッベ数：νｄが、条件：
（４）  νｄ＞５０  
を満足することを特徴とするズームレンズ。
【請求項４】
請求項１〜３の任意の１に記載のズームレンズを、撮影用光学系として有することを特徴とする撮影機能を有する情報装置。
【請求項５】
請求項４記載の情報装置において、
ズームレンズによる物体像が、撮像素子の受光面上に結像されることを特徴とする撮影機能を有する情報装置。
【請求項６】
請求項５記載の情報装置において、
携帯情報端末装置として構成されたことを特徴とする撮影機能を有する情報装置。
【発明の詳細な説明】
【技術分野】
【０００１】
この発明はズームレンズおよび情報装置に関する。  
この発明のズームレンズは、銀塩写真カメラ、デジタルスチルカメラ、ビデオカメラ、デジタルビデオカメラ等の撮像装置における撮像用のズームレンズとして実施できる。また、情報装置は、デジタルスチルカメラや、携帯情報端末装置等として実施できる。
【背景技術】
【０００２】
近来、デジタルスチルカメラ等に用いられる撮影光学系は、ズームレンズが一般的となっている。特に「３５ｍｍ判換算で５０ｍｍ程度の画角を焦点距離範囲に含むズームレンズ」が一般的に知られている。  
これらズームレンズにおいては、小型化や広角化、オートフォーカス（以下ＡＦ）の高速化等に対するユーザの要望が強い。
【０００３】
物体側から像側へ向かって順に、正の屈折力を有する第１レンズ群、負の屈折力を有する第２レンズ群と、それに続く後続群を有する所謂ポジティブリードタイプのズームレンズは、変倍比を拡大しやすく、正群先行の構成による全長の小型化が容易であり、従来から各種のものが知られている（特許文献１〜５）。
【０００４】
特許文献１〜５に記載のズームレンズは何れも、所謂「インナーフォーカス方式」のものであり、特許文献１記載のものは第２レンズ群の移動によりフォーカシングを行なっており、特許文献２〜５記載のものは何れも第３レンズ群の移動によりフォーカシングを行なっている。
【０００５】
特許文献１記載の「第２レンズ群の移動によりフォーカシングを行なうズームレンズ」の場合、フォーカシングに際して、移動させる第２レンズ群の重量が大きいため、モータやアクチュエータが大きくなりやすく、鏡筒の最大径が大きくなりやすい。  
第２レンズ群の重量が大きいことから、ＡＦの高速化や「動画撮影中の静穏化」等の面でも問題なしとしない。
【０００６】
特許文献２〜５に記載されたズームレンズでは、負の屈折力を有する第３レンズ群でフォーカシングを行っている。
【０００７】
しかし、特許文献２〜４記載のズームレンズは、フォーカス群が十分に軽量とは言い難い。  
特許文献５記載のズームレンズは、フォーカシングを行なう第３レンズ群が「１枚の負レンズ」で構成されており、フォーカス群が軽量化され、ＡＦの高速化や鏡筒径の小型化等を図ることができる。しかし、性能面やズームレンズのコンパクト化の面で、第３レンズ群の性能について、なお改善の余地があると考えられる。
【発明の概要】
【発明が解決しようとする課題】
【０００８】
この発明は、上述したところに鑑み、インナーフォーカス方式で、フォーカス群の移動量が小さく、小型・高性能で広角端の半画角が３６．８度以上、変倍比が２．８倍から５倍程度、５００万〜１０００万画素を超える撮像素子に対応した解像力を有するズームレンズの実現を可能ならしめることを課題とする。
【０００９】
この発明はまた、上記インナーフォーカス方式で、フォーカス群の移動量が小さく、小型・高性能で広角端の半画角が３６．８度以上、変倍比が２．８倍から５倍程度、５００万〜１０００万画素を超える撮像素子に対応した解像力を有するズームレンズの実現を課題とする。
【００１０】
また、このようなズームレンズを搭載した性能良好で、小型・軽量な情報装置の提供を課題とする。
【課題を解決するための手段】
【００１１】
請求項１記載のズームレンズは、光軸に沿って物体側より順に、正の屈折力の第１レンズ群、負の屈折力の第２レンズ群、負の屈折力の第３レンズ群、正の屈折力の第４レンズ群、正の屈折力の第５レンズ群を配し、第３レンズ群と第４レンズ群との間に開口絞りを配してなり、広角端から望遠端への変倍に際し、第１レンズ群と第２レンズ群の間隔が増大し、第２レンズ群と第３レンズ群との間隔が増大し、第３レンズ群と第４レンズ群との間隔が減少し、第４レンズ群と第５レンズ群の間隔が減少するズームレンズであって、以下の点を特徴とする。
【００１２】
即ち、第３レンズ群が１枚の負レンズで構成され、この負レンズは物体側に凹面を向けた負メニスカスレンズであり、第３レンズ群の光軸方向への移動によりフォーカシングが行われる。
【００１３】
第３レンズ群の物体側面の曲率半径：Ｒ３１、第３レンズ群の像側面の曲率半径：Ｒ３２、第３レンズ群の焦点距離：Ｆ３、望遠端での第２、３レンズ群の合成焦点距離：Ｆ２３ｗ、望遠端での第２、３レンズ群の合成焦点距離：Ｆ２３ｔ、広角端での焦点距離：Ｆｗ、望遠端での焦点距離：Ｆｔ、√（Ｆｗ×Ｆｔ）：Ｆｍは、条件：
（１）  １．０  ＜（Ｒ３１−Ｒ３２）／｜Ｆ２３ｗ｜＜  １０．０  
（２）  １．０  ＜（Ｒ３１−Ｒ３２）／｜Ｆ２３ｔ｜＜  １０．０  
（３）  １．４  ＜｜Ｆ３｜／Ｆｍ＜  ２．５  
を満足する。
【００１４】
請求項１記載のズームレンズは、その最大像高：Ｙ’、広角端での焦点距離：Ｆｗが、条件：
（５）０．７５＜Ｙ’／Ｆｗ
を満足することが好ましい（請求項２）。
【００１５】
請求項１および２記載のズームレンズは、望遠端での焦点距離：Ｆｔ、広角端での焦点距離：Ｆｗが、条件：
（６）  ２．８＜Ｆｔ／Ｆｗ  
を満足する。
【００１６】
請求項１または２記載のズームレンズは、第３レンズ群を構成する１枚の負レンズの材料のアッベ数：νｄが、条件：
（４）  νｄ＞５０  
を満足することが好ましい（請求項３）。勿論、上記１枚のレンズの材料としては、条件（４）の範囲外のものを用いることも可能である。
【００１７】
この発明の情報装置は、請求項１〜３の任意の１に記載のズームレンズを「撮影用光学系」として有するものである（請求項４）。このような情報装置としては、銀塩カメラやビデオカメラ等を例示することができる。
【００１８】
請求項４記載の情報装置は「ズームレンズによる物体像が、撮像素子の受光面上に結像される、撮影機能を有する情報装置」であることができ（請求項５）、デジタルスチルカメラやデジタルビデオカメラ等として実施できる。
【００１９】
請求項５記載の情報装置はまた「携帯情報端末装置」として構成することができる（請求項６）。
【００２０】
説明を補足する。  
この発明のズームレンズは、上記の如く、第３レンズ群の移動でフォーカシングを行なうインナーフォーカス方式であり、フォーカス群である「第３レンズ群」が１枚の負レンズで構成され、条件（１）〜（３）、（６）を満足するように構成される点に特徴がある。
【００２１】
フォーカス群が１枚であるから、軽量であり、ＡＦの高速化や鏡筒径の小型化等、フォーカシングの際の「静音性」を図ることができる。  
しかし、フォーカシング動作により「頻繁に動くレンズ群」であるため、偏心誤差感度を良好に抑える必要がある。偏心誤差感度を抑えるために「第３レンズ群のパワー」を弱めると、小型化に不利となる。
【００２２】
条件（１）、（２）は、第３レンズ群を構成する１枚の負レンズの「各面のパワーバランスの適切な範囲」を定める条件である。  
条件（１）、（２）の範囲を超えてしまうと、各面への負担が大きくなり、諸収差の発生はもとより、偏心誤差感度も大きくなってしまう。  
条件（１）、（２）のパラメータの分子は「（Ｒ３１−Ｒ３２）」は「正の値」であり、これから、第３レンズ群を構成する１枚の負レンズは「凹面を物体側に向けた負メニスカスレンズ」であることになる。
【００２３】
条件（３）は、第３レンズ群の焦点距離：Ｆ３の適切な範囲を定める条件である。  
パラメータの分母にあるＦｍは「√（Ｆｗ×Ｆｔ）」であって、広角端と望遠端における焦点距離の「幾何平均」を与える。
【００２４】
パラメータ：｜Ｆ３｜／Ｆｍが小さくなることは、第３レンズ群の焦点距離が小さくなって、第３レンズ群の負のパワーが大きくなることを意味し、これは小型化に対しては有利であるが、条件（３）の下限を超えると、第３レンズ群の偏心誤差感度が大きくなり、加工性に関して不利となる。  
条件（３）の上限値を上回ると、第３レンズ群の負のパワーが小さくなり、加工性に関しては有利となるが、小型化に対しては不利となる。
【００２５】
条件（１）、（２）、（３）を同時に満たすことにより初めて、１枚のレンズで、小型化に適し、偏心誤差感度が小さく、諸収差の発生が抑えられたフォーカス群とすることが可能となる。
【００２６】
上記条件（１）〜（３）の各パラメータは、より好ましくは、以下の条件：
（１Ａ）  １．５  ＜（Ｒ３１−Ｒ３２）／｜Ｆ２３ｗ｜＜  ９．５  
（２Ａ）  １．５  ＜（Ｒ３１−Ｒ３２）／｜Ｆ２３ｔ｜＜  ９．５  
（３Ａ）  １．５  ＜｜Ｆ３｜／Ｆｍ＜  ２．３
を満足することが好ましい。
【００２７】
この発明のズームレンズは、上記の如く「５群構成」であり、開口絞りより物体側にある第１〜第３レンズ群を「前群」、第４、第５レンズ群を「後続群」とすると、後続群が２つのレンズ群で構成されるため、前群の「変倍への負担」が小さくなり、設計の自由度も増すため、収差補正や加工性においても有利となる。
【００２８】
また、変倍に際しては、全てのレンズ群が移動して「変倍に寄与」するので、各群への変倍の負担が分散されて小さくなり、収差補正、加工性の面において有利であり、第１レンズ群の「変倍の際の移動量」を効率よく低減することが可能となり、小型化にも有利である。
【００２９】
請求項２の条件（５）は、画角を規制する条件であり、広角端での半画角が３６．８度以上を実現できる。
【００３０】
条件（５）のパラメータは、より好ましくは条件：
（５Ａ）  ０．８７＜Ｙ’／Ｆｗ  
を満足することが好ましい。
【００３１】
請求項１の条件（６）は、ズーム比を規制するものであり、２．８倍以上の変倍比を実現出来る。
【００３２】
ズーム比は、より好ましくは以下の条件：
（６Ａ）  ２．８＜Ｆｔ／Ｆｗ＜  ５
を満足するのが良い。
【００３３】
請求項４の条件（４）を満足する材料で第３レンズ群を構成することにより、さらなる高性能化を図ることができる。
【００３４】
即ち、第３レンズ群は１枚のレンズにより構成されるので、このレンズに「比較的低分散のガラス」を用いることにより、各種色収差の発生を抑えることができ、他の群の負担を軽減させ、収差補正をより有効におこなうことができる。
【００３５】
開口絞りの開放径は「変倍に係らず一定とする」のが機構上簡略となってよいが、望遠端の開放径を広角端に比べて大きくすることにより、Ｆナンバの変化を小さくすることも出来る。  
像面に到達する光量を減少させる必要があるときは、絞りを小径化しても良いが、「絞り径を大きく変えることなくＮＤフィルタ等の挿入により光量を減少」させるほうが回折現象による解像力の低下を防止できて好ましい。
【発明の効果】
【００３６】
上記のごとく、この発明のズームレンズは上記のごとき構成により、フォーカシングを行なうフォーカス群が十分コンパクトで、フォーカシングに際しての移動量が小さく、小型に実現でき、高速ＡＦも可能である。
【００３７】
そして、後述する実施例のように、広角端の半画角が３６．８度以上、変倍比が２．８倍から５倍程度で、十分に収差補正され、小型でかつ高解像度の撮像素子に対応した解像力を有するズームレンズとして実現できる。
【００３８】
そして、このようなズームレンズを搭載することにより、小型で性能のよい撮像装置を実現できる。
【図面の簡単な説明】
【００３９】
【図１】実施例１のズームレンズを説明するための図である。
【図２】実施例１のズームレンズの広角端における収差図である。
【図３】実施例１のズームレンズの中間焦点距離における収差図である。
【図４】実施例１のズームレンズの望遠端における収差図である。
【図５】実施例２のズームレンズを説明するための図である。
【図６】実施例２のズームレンズの広角端における収差図である。
【図７】実施例２のズームレンズの中間焦点距離における収差図である。
【図８】実施例２のズームレンズの望遠端における収差図である。
【図９】実施例３のズームレンズを説明するための図である。
【図１０】実施例３のズームレンズの広角端における収差図である。
【図１１】実施例３のズームレンズの中間焦点距離における収差図である。
【図１２】実施例３のズームレンズの望遠端における収差図である。
【図１３】実施例４のズームレンズを説明するための図である。
【図１４】実施例４のズームレンズの広角端における収差図である。
【図１５】実施例４のズームレンズの中間焦点距離における収差図である。
【図１６】実施例４のズームレンズの望遠端における収差図である。
【図１７】実施例５のズームレンズを説明するための図である。
【図１８】実施例５のズームレンズの広角端における収差図である。
【図１９】実施例５のズームレンズの中間焦点距離における収差図である。
【図２０】実施例５のズームレンズの望遠端における収差図である。
【図２１】実施例６のズームレンズを説明するための図である。
【図２２】実施例６のズームレンズの広角端における収差図である。
【図２３】実施例６のズームレンズの中間焦点距離における収差図である。
【図２４】実施例６のズームレンズの望遠端における収差図である。
【図２５】実施例７のズームレンズを説明するための図である。
【図２６】実施例７のズームレンズの広角端における収差図である。
【図２７】実施例７のズームレンズの中間焦点距離における収差図である。
【図２８】実施例７のズームレンズの望遠端における収差図である。
【図２９】実施例８のズームレンズを説明するための図である。
【図３０】実施例８のズームレンズの広角端における収差図である。
【図３１】実施例８のズームレンズの中間焦点距離における収差図である。
【図３２】実施例８のズームレンズの望遠端における収差図である。
【図３３】携帯情報端末装置の実施の１形態を説明するための図である。
【図３４】図３３の装置のシステム構成を説明するための図である。
【発明を実施するための形態】
【００４０】
以下、実施の形態を説明する。
【００４１】
図１、図５、図９、図１３、図１７、図２１、図２５、図２９に順次、ズームレンズの実施の形態例を８例示す。これらの実施の形態は、上記順序で、後述する実施例１〜８に対応する。
【００４２】
繁雑を避けるため、上記各図において、符号を共通化する。
【００４３】
即ち、図１、図５、図９、図１３、図１７、図２１、図２５、図２９において、図の左方を物体側とし、右方を像面側とする。
【００４４】
ズームレンズは、光軸に沿って物体側より順に、正の屈折力の第１レンズ群Ｉ、負の屈折力の第２レンズ群ＩＩ、負の屈折力の第３レンズ群ＩＩＩ、正の屈折力の第４レンズ群ＩＶ、正の屈折力の第５レンズ群Ｖを配し、第３レンズ群ＩＩＩと第４レンズ群ＩＶとの間に開口絞りＳを配してなる。
【００４５】
また、上記各図において、上段の図は広角端におけるレンズ配置を示し、中段の図は中間焦点距離におけるレンズ配置を示し、下段の図は望遠端におけるレンズ配置を示す。そして、「矢印」は、広角端から望遠端への変倍に伴う各レンズ群の移動の様子を示している。
【００４６】
上記各図から明らかなように、この発明のズームレンズは、広角端から望遠端への変倍に際し、全レンズ群が移動する。  
即ち、第１レンズ群Ｉと第２レンズ群ＩＩの間隔が増大し、第２レンズ群ＩＩと第３レンズ群ＩＩＩとの間隔が増大し、第３レンズ群ＩＩＩと第４レンズ群ＩＶとの間隔が減少し、第４レンズ群ＩＶと第５レンズ群Ｖの間隔が減少する。また、変倍に際して、開口絞りＳは、第４群と一体に移動する。
【００４７】
また、第３レンズ群ＩＩＩは「１枚の負レンズ」で構成され、この負レンズは「物体側に凹面を向けた負メニスカスレンズ」である。そして、この第３レンズ群ＩＩＩの光軸方向への移動によりフォーカシングが行われる。
【００４８】
上記各図において、図の右側に描かれた符号Ｆは、２枚の透明平行平板である。
【００４９】
デジタルスチルカメラ等「ＣＣＤやＣＭＯＳのような固体撮像素子を用いるタイプのカメラ装置」では、固体撮像素子の受光面に近接して、ローパスフィルタや赤外カットガラス等が設けられ、また、固体撮像素子の受光面は「カバーガラス」で保護されている。
【００５０】
上記「透明平行平板」は、ローパスフィルタ等の各種フィルタや、カバーガラスを「これらに光学的に等価な２枚の透明平行平板」により仮想的に置き換えたものである。
【００５１】
図１に実施の形態を示すズームレンズでは、各レンズ群の構成は以下の通りである。  
第１レンズ群Ｉは、物体側から順に、物体側に凸面を向けた負メニスカスレンズと物体側に凸面を向けた正メニスカスレンズとの接合レンズとからなる。
【００５２】
第２レンズ群ＩＩは、物体側から順に、物体側に凸面を向けた負メニスカスレンズと、両面とも非球面からなる両凹レンズと、両凸レンズとからなる。  
第３レンズ群ＩＩＩは、物体側に強い凹面を向けた負メニスカスレンズ１枚からなる。
【００５３】
第４レンズ群ＩＶは、物体側から順に、物体側により強い凸面を向けた両面非球面である両凸レンズと、両凸レンズと両凹レンズの接合レンズとからなる。
【００５４】
第５レンズ群Ｖは、物体側から順に、両面非球面である両凸レンズと、物体側に凸面を向けた負メニスカスレンズとからなる。
【００５５】
図５に実施の形態を示すズームレンズでは、各レンズ群の構成は以下の通りである。  
第１レンズ群Ｉは、物体側から順に、物体側に凸面を向けた負メニスカスレンズと物体側に凸面を向けた正メニスカスレンズの接合レンズとからなる。
【００５６】
第２レンズ群ＩＩは、物体側から順に、物体側に凸面を向けた負メニスカスレンズと、両面とも非球面からなる両凹レンズと、両凸レンズとからなる。
【００５７】
第３レンズ群ＩＩＩは、物体側に強い凹面を向けた負メニスカスレンズ１枚からなる。
【００５８】
第４レンズ群ＩＶは、物体側から順に、物体側により強い凸面を向けた両面非球面である両凸レンズと、両凸レンズと両凹レンズの接合レンズとからなる。
【００５９】
第５レンズ群Ｖは、両面非球面である両凸レンズと、物体側に凸面を向けた負メニスカスレンズとからなる。
【００６０】
図９に実施の形態を示すズームレンズでは、各レンズ群の構成は以下の通りである。  
第１レンズ群Ｉは、物体側から順に、物体側に凸面を向けた負メニスカスレンズと物体側に凸面を向けた正メニスカスレンズの接合レンズとからなる。
【００６１】
第２レンズ群ＩＩは、物体側から順に、物体側に凸面を向けた負メニスカスレンズと、両面とも非球面からなる両凹レンズと、両凸レンズとからなる。
【００６２】
第３レンズ群ＩＩＩは、物体側に強い凹面を向けた負メニスカスレンズ１枚からなる。
【００６３】
第４レンズ群ＩＶは、物体側から順に、物体側により強い凸面を向けた両面非球面である両凸レンズと、両凸レンズと両凹レンズの接合レンズとからなる。
【００６４】
第５レンズ群Ｖは、物体側から順に、両面非球面である両凸レンズと、物体側に凸面を向けた負メニスカスレンズとからなる。
【００６５】
図１３に実施の形態を示すズームレンズでは、各レンズ群の構成は以下の通りである。
【００６６】
第１レンズ群Ｉは、物体側から順に物体側に凸面を向けた負メニスカスレンズと物体側に凸面を向けた正メニスカスレンズの接合レンズとからなる。
【００６７】
第２レンズ群ＩＩは、物体側から順に、物体側に凸面を向けた負メニスカスレンズと、両面とも非球面からなる両凹レンズと、両凸レンズとからなる。
【００６８】
第３レンズ群ＩＩＩは、物体側に強い凹面を向けた負メニスカスレンズ１枚からなる。
【００６９】
第４レンズ群ＩＶは、物体側から順に、物体側により強い凸面を向けた両面非球面である両凸レンズと、両凸レンズと両凹レンズの接合レンズとからなる。
【００７０】
第５レンズ群Ｖは、物体側から順に、両面非球面である両凸レンズと、物体側に凸面を向けた負メニスカスレンズとからなる。
【００７１】
図１７に実施の形態を示すズームレンズでは、各レンズ群の構成は以下の通りである。
【００７２】
第１レンズ群Ｉは、物体側から順に、物体側に凸面を向けた負メニスカスレンズと物体側に凸面を向けた正メニスカスレンズの接合レンズとからなる。
【００７３】
第２レンズ群ＩＩは、物体側から順に、物体側に凸面を向けた負メニスカスレンズと、両面とも非球面からなる両凹レンズと、両凸レンズとからなる。
【００７４】
第３レンズ群ＩＩＩは、物体側に強い凹面を向けた負メニスカスレンズ１枚からなる。
【００７５】
第４レンズ群ＩＶは、物体側から順に、物体側により強い凸面を向けた両面非球面である両凸レンズと、両凸レンズと両凹レンズの接合レンズとからなる。
【００７６】
第５レンズ群Ｖは、物体側から順に、両面非球面である両凸レンズと、物体側に凸面を向けた負メニスカスレンズとからなる。
【００７７】
図２１に実施の形態を示すズームレンズでは、各レンズ群の構成は以下の通りである。
【００７８】
第１レンズ群Ｉは、物体側から順に、物体側に凸面を向けた負メニスカスレンズと物体側に凸面を向けた正メニスカスレンズの接合レンズとからなる。
【００７９】
第２レンズ群ＩＩは、物体側から順に、物体側に凸面を向けた負メニスカスレンズと、両面とも非球面からなる両凹レンズと、両凸レンズとからなる。
【００８０】
第３レンズ群ＩＩＩは、物体側に強い凹面を向けた負メニスカスレンズ１枚からなる。
【００８１】
第４レンズ群ＩＶは、物体側から順に、物体側により強い凸面を向けた両面非球面である両凸レンズと、両凸レンズと両凹レンズの接合レンズとからなる。
【００８２】
第５レンズ群Ｖは、物体側から順に、両面非球面である両凸レンズと、物体側に凸面を向けた負メニスカスレンズとからなる。
【００８３】
図２５に実施の形態を示すズームレンズでは、各レンズ群の構成は以下の通りである。
【００８４】
第１レンズ群Ｉは、物体側から順に、物体側に凸面を向けた負メニスカスレンズと物体側に凸面を向けた正メニスカスレンズの接合レンズとからなる。
【００８５】
第２レンズ群ＩＩは、物体側から順に、物体側に凸面を向けた負メニスカスレンズと、両面とも非球面からなる両凹レンズと、両凸レンズとからなる。
【００８６】
第３レンズ群ＩＩＩは、物体側に強い凹面を向けた負メニスカスレンズ１枚からなる。
【００８７】
第４レンズ群ＩＶは、物体側から順に、物体側により強い凸面を向けた両面非球面である両凸レンズと、両凸レンズと両凹レンズの接合レンズとからなる。
【００８８】
第５レンズ群Ｖは、物体側から順に、両面非球面である両凸レンズと、物体側に凸面を向けた負メニスカスレンズとからなる。
【００８９】
図２９に実施の形態を示すズームレンズでは、各レンズ群の構成は以下の通りである。
【００９０】
第１レンズ群Ｉは、物体側から順に、物体側に凸面を向けた負メニスカスレンズと物体側に凸面を向けた正メニスカスレンズの接合レンズとからなる。
【００９１】
第２レンズ群ＩＩは、物体側から順に、物体側に凸面を向けた負メニスカスレンズと、両面とも非球面からなる両凹レンズと、両凸レンズとからなる。
【００９２】
第３レンズ群ＩＩＩは、物体側に強い凹面を向けた負メニスカスレンズ１枚からなる。
【００９３】
第４レンズ群ＩＶは、物体側から順に、物体側により強い凸面を向けた両面非球面である両凸レンズと、両凸レンズと両凹レンズの接合レンズとからなる。
【００９４】
第５レンズ群Ｖは、物体側から順に、像側により強い凸面を向けた両面非球面である両凸レンズと、物体側に凸面を向けた負メニスカスレンズとからなる。
【００９５】
図３３、３４を参照して、携帯情報端末装置の実施の１形態を説明する。  
図３２はカメラ装置（携帯情報端末装置のカメラ機能部）の外観を示し、図３４は携帯情報端末装置のシステム構成を示している。  
図３４に示すように、携帯情報端末装置３０は、撮影レンズ３１と受光素子（５００万画素〜１０００万画素が２次元に配列された固体撮像素子）４５を有し、撮影レンズ３１によって形成される「撮影対象物の像」を受光素子４５によって読み取るように構成されている。また、ファインダ３３を有する。
【００９６】
撮影レンズ３１としては請求項１〜４の任意の１に記載の「結像レンズ」、より具体的には後述の実施例１〜８の結像レンズが用いられる。
【００９７】
受光素子４５からの出力は中央演算装置４０の制御を受ける信号処理装置４２によって処理され、デジタル情報に変換され、デジタル化された画像情報は、中央演算装置４０の制御を受ける画像処理装置４１において所定の画像処理を受けた後、半導体メモリ４４に記録される。
【００９８】
液晶モニタ３８には、画像処理装置４１において画像処理された撮影中の画像を表示することもできるし、半導体メモリ４４に記録されている画像を表示することもできる。また、半導体メモリ４４に記録した画像は通信カード等４３を使用して外部へ送信することができる。
【００９９】
画像処理装置４１は「シェーディングの電気的な補正」や「画像中心部のトリミング」等を行なう機能も有する。
【０１００】
図３３に示すように、撮影レンズ３１は携帯時には、図３３（ａ）に示すように沈胴状態にあり、ユーザが電源スイッチ３６を操作して電源を入れると、（ｂ）に示すように鏡胴が繰り出される。
【０１０１】
このとき、鏡胴の内部でズームレンズの各群は「物体距離が無限遠の配置」となっており、シャッタボタン３５の半押しにより「有限物体距離へのフォーカシング」が行なわれる。ズーミングは、ズーミング調整部３４の操作により行い、ファインダ３３はズーミング操作に連動して変倍する。
【０１０２】
フォーカシング動作は前述したように「第３群を移動」させて行なわれる。
【０１０３】
半導体メモリ４４に記録した画像を液晶モニタ３８に表示したり、通信カード等を使用して外部へ送信したりする際は、図３３（ｃ）に示す操作ボタン３７を使用して行う。半導体メモリおよび通信カード等は、それぞれ専用または汎用のスロット３９Ａ、３９Ｂに挿入して使用される。
【０１０４】
撮影レンズ３１が沈胴状態にあるとき、各レンズ群は、必ずしも光軸上に並んでいなくても良く、例えば、第１レンズ群や第２レンズ群が光軸上から退避して「他のレンズ群と並列に収納される」ような機構とすれば、携帯情報端末装置のさらなる薄型化を実現できる。
【０１０５】
以上に説明したような「カメラ装置を撮影機部として有する携帯情報端末装置」には、実施例１〜８の結像レンズを撮影レンズ３１として使用することができ、５００万〜１０００万画素を超える受光素子４５を使用した高画質で小型のカメラ機能を持つ携帯情報端末装置を実現できる。
【実施例】
【０１０６】
以下、具体的な実施例を８例挙げる。
【０１０７】
実施例における記号の意味は以下の通りである。
ｆ：全系の焦点距離
Ｆ：Fナンバ
ω：半画角(deg)  
面番号：面番号：物体側から数えた面（レンズ面、絞りの面、フィルタ、受光面）の番号
Ｒ：曲率半径(非球面にあっては近軸曲率半径)
Ｄ：面間隔
Ｎｄ：屈折率
νｄ：アッベ数
Ｋ：非球面の円錐定数
Ａ４：４次の非球面定数
Ａ６：６次の非球面定数
Ａ８：８次の非球面定数
Ａ１０：１０次の非球面定数
Ａ１２：１２次の非球面定数
Ａ１４：１４次の非球面定数                                    。
【０１０８】
非球面形状は、近軸曲率半径の逆数(近軸曲率)：Ｃ、光軸からの高さ：Ｈ、円錐定数：Ｋ、上記各次数の非球面係数を用い、Ｘを光軸方向における非球面量として、周知の式
Ｘ＝ＣＨ２／[１＋√{１−(１＋Ｋ)Ｃ２Ｈ２}]
＋Ａ４・Ｈ４＋Ａ６・Ｈ６＋Ａ８・Ｈ８＋Ａ１０・Ｈ１０＋Ａ１２・Ｈ１２＋Ａ１４・Ｈ１４
で表されるものであり、近軸曲率半径と円錐定数、非球面係数を与えて形状を特定する。
【０１０９】
「実施例１」
実施例１は、図１に示したズームレンズである。
ｆ=16.146〜53.852  Ｆ＝3.59〜5.93  ω＝42.8〜14.5  
面番号      Ｒ        Ｄ      Nd      νd  
1     35.22784   1.30000  1.84666  23.7800
2     25.43981   5.58108  1.69680  55.5300
3    161.95730   可変A                  
4     66.68463   0.97007  2.00100  29.1300
5     10.93000   6.31830                  
6    -29.18377   0.80000  1.69350  53.1800
7     26.19043   0.09955                  
8     25.80601   4.24896  1.84666  23.7800
9    -27.63060   可変B                  
10    -20.24167   0.80000  1.60300  65.4400（S-PHM53）
11    -50.23484   可変C                  
12     ∞（絞り） 1.45001                  
13     15.31467   3.43574  1.51633  64.0600
14    -38.17926   0.10000                  
15     21.44923   3.93180  1.53172  48.8400
16    -17.87906   1.45000  1.83400  37.1600
17     19.58694   可変D                  
18     19.29863   4.94809  1.58913  61.1500
19    -19.58674   0.23493                  
20     48.01352   0.80173  1.90366  31.3200
21     16.49362   可変E                   
22      ∞        0.70000  1.53770  66.6000
23      ∞        1.50000                  
24      ∞        0.70000  1.50000  64.0000
25      ∞                                                  。
【０１１０】
「非球面のデータ」  
非球面のデータを以下に示す。
【０１１１】
第6面
K=0
A4= -1.12571E-05
A6=  1.21899E-07
A8=  2.76874E-09
A10= -4.5160E-11
A12= 1.38009E-13
第7面
K=0
A4= -4.98762E-05
A6=  3.02710E-07
A8= -1.83352E-09
A10=-4.9553E-12
第13面
K=0
A4= -2.23034E-05
A6= -3.30061E-08
A8=  1.96596E-09
A10=-4.33079E-11
第14面
K=0
A4= -6.86789E-06
A6=  1.59127E-07
A8= -8.05125E-10
A10=-2.46291E-11
第18面
K=  -4.76959
A4= -2.06414E-06
A6= -1.71695E-07
A8= -2.33143E-09
A10= 6.08643E-12
第19面
K=   0.25043
A4=  3.72591E-05
A6= -4.11291E-08
A8= -2.02648E-09
A10= 3.86766E-12  
上記の非球面のデータの表記において、「Ｅ−ｎ」は「１０のべき乗（１０−ｎ）」を表す(以下の実施例においても同様である。）。
【０１１２】
第３レンズ群のレンズの硝材は、オハラ(株）製「Ｓ−ＰＨＭ５３」を想定している。  
Ｓ−ＰＨＭ５３のνd及びθg,Fは、公開されているカタログより下記の通りである。  
νd=65.44  
θg,F=0.5401
「可変量」  
可変量のデータを表１に示す。
【０１１３】
【表１】
0005776441.tif 000002
【０１１４】
図２、図３、図４に順次、実施例１の広角端、中間焦点距離、望遠端における収差図を示す。球面収差の図中の破線は正弦条件、非点収差の図中の実線はサジタル、破線はメリディオナルをそれぞれ表す。また、「ｇ」、「ｄ」はそれぞれ、ｇ線およびｄ線を表す。以下の他の収差図についても同様である。
【０１１５】
「実施例２」
実施例２は、図５に示したズームレンズである。
ｆ＝16.146〜53.851  Ｆ＝3.6〜5.77  ω＝42.87〜14.47
面番号  Ｒ          Ｄ      Nd      νd  
1    43.11718    1.29999  1.84666  23.78
2    31.73933    5.57706  1.69680  55.53
3   190.09719    可変A                  
4    55.24695    0.97008  2.00100  29.13
5    10.53158    7.00758   
6   -37.69153    0.80000  1.69350  53.18
7    39.79764    0.12000   
8    35.75261    4.22772  1.84666  23.78
9   -27.02142    可変B                  
10  -22.16816    0.80000  1.60300  65.44（S-PHM53）
11  -68.86241    可変C                     
12   ∞（絞り）  1.45020   
13   17.70983    4.99510  1.51633  64.06
14  -25.76032    0.10000   
15   24.82196    3.73181  1.53172  48.84
16  -18.83887    1.44999  1.83400  37.16
17   19.93203    可変D                     
18   18.95445    5.30000  1.58913  61.15
19  -22.79198    0.10000   
20   46.10650    0.80000  1.90366  31.32
21   16.80062    可変E   
22    ∞         0.70000  1.53770  66.60
23    ∞         1.50000  
24    ∞         0.70000  1.50000  64.00
25    ∞                                                            。
【０１１６】
「非球面データ」
非球面のデータを以下に示す。
【０１１７】
第6面
K=0
A4= -6.13912E-05
A6=  6.02764E-07
A8= -3.68927E-09
A10=-5.86282E-12
第7面
K=0
A4= -9.55771E-05
A6=  6.67024E-07
A8= -5.78157E-09
A10= 3.44512E-12
第13面
K=0
A4= -2.21195E-05
A6= -1.07672E-06
A8=  1.98544E-08
A10=-3.47093E-10
第14面
K=0
A4=  5.12674E-06
A6= -9.94310E-07
A8=  1.53589E-08
A10=-2.78900E-10
第18面
K=  -1.2879
A4= -1.57778E-05
A6= -7.80973E-08
A8= -8.69905E-10
A10= 3.89552E-12
第19面
K=  0.98584
A4= 4.43195E-05
A6= 5.66872E-08
A8= -2.64609E-09
A10= 1.33387E-11                                            。
【０１１８】
第３レンズ群のレンズの硝材は、オハラ(株）製Ｓ−ＰＨＭ５３を想定している。  
S-PHM53のνd及びθg,Fは、公開されているカタログより下記の通りである。  
νd=65.44  
θg,F=0.5401
「可変量」
可変量のデータを表２に示す。
【０１１９】
【表２】
0005776441.tif 000003
【０１２０】
図６、図７、図８に順次、実施例２の広角端、中間焦点距離、望遠端における収差図を示す。
【０１２１】
「実施例３」
実施例３は、図９に示したズームレンズである。
ｆ＝16.146〜53.85  Ｆ＝3.62〜5.67  ω＝42.8〜14.46
面番号   Ｒ       Ｄ       Nd    νd  
1   44.83622   1.30000  1.84666  23.78
2   30.32788   5.80250  1.77250  49.60
3  152.20233   可変A  
4   55.56877   0.97009  2.00100  29.13
5   10.85110   6.67902   
6  -40.92454   0.80000   
7   36.32245   0.65885   
8   30.89732   4.44422  1.84666  23.78
9  -26.99833   可変B   
10  -24.45877  0.80000  1.64850  53.02（S-BSM71）
11 -103.58339  可変C   
12   ∞(絞り)  1.45008   
13   16.52481  5.35383  1.51633  64.06
14  -25.99633  0.10000   
15   23.78029  3.61747  1.51742  52.43
16  -22.01894  1.45000  1.83400  37.16
17   17.55937  可変D   
18   19.88520  5.30000  1.58913  61.15
19  -22.74438  0.10000   
20   53.58387  0.80000  1.90366  31.32
21   18.67841   可変E     
22    ∞       0.70000  1.53770  66.60
23    ∞       1.50000  
24    ∞       0.70000  1.50000  64.00
25    ∞                                                。
【０１２２】
「非球面データ」
非球面データを以下に示す。
【０１２３】
第6面
K=0
A4= -8.18151E-06
A6= -2.01833E-07
A8=  2.53333E-09
A10=-1.29107E-11  
第7面
K=0
A4= -3.23283E-05
A6= -1.88341E-07
A8=  1.96755E-09
A10=-1.43273E-11  
第13面
K=0
A4= -3.22004E-05
A6= -9.60992E-07
A8=  1.55589E-08
A10=-2.82657E-10
第14面
K=0
A4=  3.53815E-06
A6= -8.66214E-07
A8=  1.17377E-08
A10=-2.24402E-10
第18面
K=-1.27337
A4= -1.58768E-05
A6= -1.86624E-07
A8=  6.94712E-10
A10=-5.97184E-12
第19面
K=0
A4= 3.31640E-05
A6=-1.06067E-07
A8=-6.29723E-10
A10=0                                                            。
【０１２４】
第３レンズ群のレンズの硝材は、オハラ(株）製のＳ−ＢＳＭ７１を想定している。  
S-BSM71のνd及びθg,Fは、公開されているカタログより下記の通りである。  
νd=53.02  
θg,F=0.5547
「可変量」
可変量のデータを表３に示す。
【０１２５】
【表３】
0005776441.tif 000004
【０１２６】
図１０、図１１、図１２に順次、実施例３の広角端、中間焦点距離、望遠端における収差図を示す。
【０１２７】
「実施例４」
実施例４は、図１３に示したズームレンズである。
ｆ＝16.19450〜45.75015  Ｆ＝3.62882〜5.85754  ω＝42.69841〜16.94375
面番号   Ｒ      Ｄ        Nd     νd  
1    33.04630  1.30000   1.84666  23.78
2    24.61909  5.03061   1.69680  55.53
3   136.08670  可変A
4    66.82379  0.97000   2.00100  29.13
5    10.13620  6.58248                          
6   -27.08140  0.80000   1.69350  53.18
7    42.28382  0.10000   
8    36.12687  4.06747   1.84666  23.78
9   -23.91703  可変B
10  -19.22723  0.80000   1.60300  65.44（S-PHM53）
11  -40.79376  可変C
12   ∞（絞り）1.45000   
13   15.53437  3.73586   1.51633  64.06
14  -28.31772  0.10000   
15   26.51545  3.96987   1.53172  48.84
16  -16.08335  1.45000   1.83400  37.16
17   21.49926  可変D
18   18.61811  5.28649   1.58913  61.15
19  -19.32644  0.10000   
20   50.34422  0.82401   1.90366  31.32
21   15.67976  可変E     
22    ∞       0.70000   1.53770  66.60
23    ∞       1.50000  
24    ∞       0.70000   1.50000  64.00
25    ∞                                                         。
【０１２８】
「非球面データ」
非球面データを以下に示す。
【０１２９】
第6面
K=0
A4= -2.62797E-05
A6=  2.15039E-07
A8=  1.25881E-09
A10=-3.37339E-11
A12=-5.96466E-14
第7面
K=0
A4= -6.94415E-05
A6=  2.98647E-07
A8= -1.81245E-09
A10=-2.26671E-11
第13面
K=0
A4= -1.84404E-05
A6= -9.86481E-08
A8=  1.21421E-09
A10=-2.38227E-11
第14面
K=0
A4=  9.50545E-06
A6=  8.22895E-08
A8= -9.41319E-10
A10=-1.57178E-11
A12=0
第18面
K=  -4.00213
A4=  5.35275E-06
A6= -6.14576E-08
A8= -3.35757E-09
A10= 3.63892E-11
第19面
K=  -0.0203
A4=  4.11207E-05
A6=  6.45731E-08
A8= -4.12993E-09
A10= 4.1149E-11                                。
【０１３０】
第３レンズ群のレンズの硝材は、オハラ(株）製のＳ−ＰＨＭ５３を想定している。  
S-PHM53のνd及びθg,Fは、公開されているカタログより下記の通りである。  
νd=65.44  
θg,F=0.5401
「可変量」
可変量のデータを表４に示す。
【０１３１】
【表４】
0005776441.tif 000005
【０１３２】
図１４、図１５、図１６に順次、実施例４の広角端、中間焦点距離、望遠端における収差図を示す。
【０１３３】
「実施例５」
実施例５は、図１７に示したズームレンズである。
f=16.146〜53.84  F=3.65〜5.74  ω=41.5〜14.87          
面番号  Ｒ         Ｄ       Nd      νd  
1   46.03179     1.30005   1.84666  23.78
2   31.22940     5.51888   1.77250  49.60
3  152.04501     可変A
4   51.07120     0.97002   2.00100  29.13
5   10.77721     6.63709   
6  -42.16678     0.79999   1.77030  47.40
7   38.75553     0.96368   
8   30.38725     4.33203   1.84666  23.78
9  -29.02408     可変B
10  -21.91807    0.80000   1.64850  53.02（S-BSM71）
11  -79.56447    可変C
12   ∞（絞り）  1.44994   
13   18.62497    4.02774   1.51633  64.06
14  -25.81393    0.09995   
15   20.81187    4.01271   1.51742  52.43
16  -19.74213    1.44999   1.83400  37.16
17   19.22015    可変D
18   20.95766    5.30002   1.58913  61.15
19  -22.01066    0.10001   
20   42.36060    0.79999   1.90366  31.32
21   16.44550    可変E      
22    ∞         0.70000   1.53770  66.60
23    ∞         1.50000  
24    ∞         0.70000   1.50000  64.00
25    ∞                                                  。
【０１３４】
「非球面データ」
非球面データを以下に示す。
【０１３５】
第6面
K=0
A4=  5.52979E-05
A6= -1.46723E-06
A8=  1.40955E-08
A10=-5.75258E-11  
第7面
K=0
A4=  3.02092E-05
A6= -1.53901E-06
A8=  1.44769E-08
A10=-6.26901E-11  
第13面
K=0
A4= -8.40542E-06
A6= -4.37152E-07
A8=  1.03740E-08
A10=-2.45238E-10
第14面
K=0
A4=  2.47361E-05
A6= -6.21729E-07
A8=  1.37690E-08
A10=-2.72842E-10
第18面
K=  -0.92674
A4= -1.83059E-05
A6= -3.30349E-08
A8= -2.28321E-09
A10=-6.15846E-13
第19面
K=0
A4=  3.19375E-05
A6=  3.31577E-08
A8= -2.88956E-09  
A10= 0                                              。
【０１３６】
第３レンズ群のレンズの硝材は、オハラ(株）製のＳ−ＢＳＭ７１を想定している。  
S-BSM71のνd及びθg,Fは、公開されているカタログより下記の通りである。  
νd=53.02  
θg,F=0.5547
「可変量」
可変量のデータを表５に示す。
【０１３７】
【表５】
0005776441.tif 000006
【０１３８】
図１８、図１９、図２０に順次、実施例５の広角端、中間焦点距離、望遠端における収差図を示す。
【０１３９】
「実施例６」
実施例６は、図２１に示したズームレンズである。
【０１４０】
ｆ＝16.146〜53.852  Ｆ＝3.62〜5.77  ω＝41.53〜14.87
面番号     Ｒ        Ｄ     Nd     νd  
1   52.97005    1.31000   1.84666  23.78
2   35.71101    5.48584   1.77250  49.60
3  189.65170    可変A
4   57.34337    0.95497   2.00100  29.13
5   11.09490    6.36289   
6  -52.53144    0.80001   1.77030  47.40
7   36.40322    1.16039   
8   30.42534    4.23829   1.84666  23.78
9  -30.42507    可変B
10 -22.85191    0.80000   1.64850  53.02（S-BSM71）
11 -92.38759    可変C
12  ∞（絞り）  1.40001   
13  19.49107    3.32058   1.51633  64.06
14 -25.78639    0.11538   
15  18.99577    4.01733   1.51742  52.43
16 -18.99577    1.40000   1.83400  37.16
17  18.99577    可変D
18  19.38104    5.59999   1.58913  61.15
19 -23.21203    0.10000   
20  34.69037    0.80000   1.90366  31.32
21  14.67162    可変E                          
22   ∞         0.70000   1.53770  66.60
23   ∞         1.50000  
24   ∞         0.70000   1.50000  64.00
25   ∞                                                     。
【０１４１】
「非球面データ」
非球面データを以下に示す。
【０１４２】
第6面
K=0
A4=  2.63554E-05
A6= -1.09237E-06
A8=  9.8447E-09  
A10=-3.41409E-11  
第7面  
K=0
A4=  2.93738E-06
A6= -1.13624E-06
A8=  1.01043E-08
A10=-3.88306E-11    
第13面  
K=0
A4=  3.21402E-07
A6= -1.03872E-07
A8=  6.34622E-09
A10=-1.99948E-10
第14面  
K=0
A4=  2.47699E-05
A6= -2.4115E-07
A8=  9.50458E-09
A10=-2.36136E-10
第18面  
K=  -0.57855
A4= -1.83484E-05
A6= -2.90044E-08
A8= -1.90061E-09
A10=-5.50054E-12    
第19面  
K=  -0.09961
A4=  3.54974E-05
A6=  3.43435E-08
A8= -3.14805E-09                                        。
【０１４３】
第３レンズ群のレンズの硝材は、オハラ(株）製のＳ−ＢＳＭ７１を想定している。  
S-BSM71のνd及びθg,Fは、公開されているカタログより下記の通りである。  
νd=53.02  
θg,F=0.5547
「可変量」
可変量のデータを表６に示す。
【０１４４】
【表６】
0005776441.tif 000007
【０１４５】
図２２、図２３、図２４に順次、実施例６の広角端、中間焦点距離、望遠端における収差図を示す。
【０１４６】
「実施例７」
実施例７は、図２５に示したズームレンズである。
f=16.146〜53.852  F=3.61〜5.76  ω=41.53〜14.87        
面番号  Ｒ       Ｄ        Nd      νd  
1   53.02258   1.31000  1.84666  23.78
2   35.94362   5.46329  1.77250  49.60
3  188.67998   可変A
4   54.87412   0.95512  2.00100  29.13
5   10.79646   6.44587   
6  -51.91885   0.80000  1.74320  49.29
7   40.63394   1.06371   
8   31.38598   4.08243  1.84666  23.78
9  -31.38598   可変B
10 -23.00149   0.80000  1.65160  58.55（S-LAL7）   
11 -97.40089   可変C
12  ∞（絞り） 1.39999   
13  19.57334   3.29549  1.51633  64.06
14 -25.26589   0.10000   
15  19.46405   3.89071  1.51742  52.43
16 -19.46405   1.40519  1.83400  37.16
17  19.46405   可変D
18  19.69818   5.60000  1.58913  61.15
19 -22.10614   0.10000   
20  38.97349   0.80019  1.90366  31.32
21  15.14672   可変E                           
22   ∞        0.70000  1.53770  66.60
23   ∞        1.50000  
24   ∞        0.70000  1.50000  64.00
25   ∞                                                     。
【０１４７】
「非球面データ」
非球面データを以下に挙げる。
【０１４８】
第6面  
K=0
A4=  3.46877E-05
A6= -1.27443E-06
A8=  1.11921E-08
A10=-4.40045E-11
第7面  
K=0
A4=  6.8617E-06
A6= -1.34447E-06
A8=  1.13537E-08
A10=-4.81564E-11
第13面  
K=0
A4= -1.2513E-06
A6= -4.84014E-08
A8=  5.40686E-09
A10=-2.0620E-10
第14面  
K=0
A4=  2.71708E-05
A6= -2.3373E-07
A8=  9.93932E-09
A10=-2.54318E-10
第18面  
K=  -0.65075
A4= -1.90482E-05
A6= -3.34777E-08
A8= -1.71693E-09
A10=-5.56274E-12
第19面  
K=  -0.20854
A4=  3.63343E-05
A6=  2.45318E-08
A8= -2.95008E-09                                  。
【０１４９】
第３レンズ群のレンズの硝材は、オハラ(株）製のＳ−ＬＡＬ７を想定している。  
S-LAL7のνd及びθg,Fは、公開されているカタログより下記の通りである。  
νd=58.55  
θg,F=0.5425
「可変量」
可変量のデータを表７に示す。
【０１５０】
【表７】
0005776441.tif 000008
【０１５１】
図２６、図２７、図２８に順次、実施例７の広角端、中間焦点距離、望遠端における収差図を示す。
【０１５２】
「実施例８」
実施例８は図２９に示したズームレンズである。
ｆ＝16.145〜53.86  Ｆ＝3.64〜5.75  ω＝41.53〜15.0
面番号  Ｒ        Ｄ        Nd     νd  
1    51.57017   1.35033   1.84666  23.78 
2    35.08789   5.69112   1.7725   49.6  
3   182.91872   可変Ａ  
4    44.57654   0.98972   2.001    29.13  
5    10.55643   6.75921  
6   -44.69477   0.80002   1.7432   49.29   
7    47.5051    1.35366  
8    32.75877   3.82977   1.84666  23.78  
9   -32.75877   可変Ｂ  
10  -24.76086   0.8       1.6516   58.55（S-LAL7）  
11  -153.4119   可変Ｃ  
12     ∞       1.40078   
13   18.96748   3.75245   1.51633   64.06  
14  -24.25341  0.09999       
15   18.77954   4.04255   1.51742   52.43   
16  -18.77954   1.3999    1.834     37.16   
17   18.77954   可変D  
18   22.71409   5.00033   1.58913   61.15  
19  -20.0266    0.10002     
20   56.47649   0.79994   1.90366   31.32  
21   17.45296    可変E            
22     ∞       0.70000   1.53770   66.60     
23     ∞       1.50000   
24     ∞       0.70000   1.50000   64.00
25     ∞                                                   。
【０１５３】
「非球面データ」
非球面データを以下に示す。
0005776441.tif 000009
【０１５４】
第３レンズ群のレンズの硝材は、オハラ(株）製のＳ−ＬＡＬ7を想定している。  
S-LAL7のνd及びθg,Fは、公開されているカタログより下記の通りである。  
νd=58.55    
θg,F=0.5425
「可変量」
可変量のデータを表８に示す。
【０１５５】
【表８】
0005776441.tif 000010
【０１５６】
図３０、図３１、図３２に順次、実施例８の広角端、中間焦点距離、望遠端における収差図を示す。
【０１５７】
「条件式のパラメータの値」
上記各実施例における条件式のパラメータの値を表９に示す。
【０１５８】
【表９】
0005776441.tif 000011
【０１５９】
表9に示すように、実施例1〜８とも、条件（１）〜（６）を満足している。
【０１６０】
また、各実施例とも、収差は良好に補正され、性能良好である。
【符号の説明】
【０１６１】
Ｉ      第１レンズ群
ＩＩ    第２レンズ群  
ＩＩＩ  第３レンズ群
ＩＶ    第４レンズ群  
Ｖ      第５レンズ群  
Ｓ      開口絞り
【先行技術文献】
【特許文献】
【０１６２】
【特許文献１】特開平３−２２８００８号公報
【特許文献２】特許第３７１６４１８号公報
【特許文献３】特許第３３９７６８６号公報
【特許文献４】特許第４４０１４５１号公報
【特許文献５】特開２０１０−１７５９５４号公報
【図１】
0005776441.tif 000012
【図２】
0005776441.tif 000013
【図３】
0005776441.tif 000014
【図４】
0005776441.tif 000015
【図５】
0005776441.tif 000016
【図６】
0005776441.tif 000017
【図７】
0005776441.tif 000018
【図８】
0005776441.tif 000019
【図９】
0005776441.tif 000020
【図１０】
0005776441.tif 000021
【図１１】
0005776441.tif 000022
【図１２】
0005776441.tif 000023
【図１３】
0005776441.tif 000024
【図１４】
0005776441.tif 000025
【図１５】
0005776441.tif 000026
【図１６】
0005776441.tif 000027
【図１７】
0005776441.tif 000028
【図１８】
0005776441.tif 000029
【図１９】
0005776441.tif 000030
【図２０】
0005776441.tif 000031
【図２１】
0005776441.tif 000032
【図２２】
0005776441.tif 000033
【図２３】
0005776441.tif 000034
【図２４】
0005776441.tif 000035
【図２５】
0005776441.tif 000036
【図２６】
0005776441.tif 000037
【図２７】
0005776441.tif 000038
【図２８】
0005776441.tif 000039
【図２９】
0005776441.tif 000040
【図３０】
0005776441.tif 000041
【図３１】
0005776441.tif 000042
【図３２】
0005776441.tif 000043
【図３３】
0005776441.tif 000044
【図３４】
0005776441.tif 000045